(57)【特許請求の範囲】
【請求項１】
パウチ型二次電池の縁を次第に折り曲げ成形して目的とした断面状に折る成形手段と、
前記成形手段を支持する支持手段と、
前記成形手段と前記支持手段との間に介在して前記成形手段を整列させる、多様な厚さで提供される平板状の第１〜第４ギャップスペーサと、を含むことを特徴とする二次電池用パウチフォールディング装置。
【請求項２】
前記支持手段は、
前記パウチ型二次電池が進行する方向に沿って水平に延長するベースプレートと、
前記ベースプレートの上部に固定装着されるスタンドと、を含み、
前記スタンドは、
前記ベースプレートを長さ方向に沿って水平に延長し、前記ベースプレートに固定装着される支えプレートと、
前記支えプレートの長さ方向に沿って延長し、前記支えプレートの上部側に垂直に延長するマウンティングプレートと、を含み、
前記マウンティングプレートの一側面は、前記パウチ型二次電池が進行する方向に沿って順次に第１成形領域、第２成形領域及び第３成形領域に分割されることを特徴とする請求項１に記載の二次電池用パウチフォールディング装置。
【請求項３】
前記成形手段は、
前記第１成形領域内に支持され、前記パウチ型二次電池の前記縁が鋭角をなすように折り曲げ成形させる、上部成形ロール及び下部成形ロールが対をなすロールフォーマーを有する第１成形部と、
前記第２成形領域内に支持され、前記第１成形部を抜け出た前記パウチ型二次電池の前記縁が鈍角をなすように折り曲げ成形させる、上部成形ロール及び下部成形ロールが対をなすロールフォーマーを有する第２成形部と、
前記第３成形領域内に支持され、前記第２成形部を抜け出た前記パウチ型二次電池の前記縁が水平をなすように折り曲げ成形させる、上部成形ロール及び下部成形ロールが対をなすロールフォーマーを有する第３成形部と、を含むことを特徴とする請求項２に記載の二次電池用パウチフォールディング装置。
【請求項４】
前記第１成形部の前記ロールフォーマーの前記上部成形ロール及び前記下部成形ロールと、前記第２成形部の前記ロールフォーマーの前記下部成形ロール、及び前記第３成形部の前記ロールフォーマーの前記上部成形ロール及び前記下部成形ロールは、前記マウンティングプレートに回転可能に装着され、
前記第２成形部の前記ロールフォーマーの前記上部成形ロールは、前記第２成形領域内で前記スタンドの長さ方向に沿って水平に延長するサドルの下部に回転可能に装着され、
前記サドルの一側面には、前記第２成形部の前記ロールフォーマーによる前記縁の折り曲げ成形時に前記縁の非折り曲げ部位を支持しながら折り曲げ部位を支えて支持するフォールディングガイドが装着されることを特徴とする請求項３に記載の二次電池用パウチフォールディング装置。
【請求項５】
前記第１ギャップスペーサは、
前記第１成形領域内の前記マウンティングプレートと前記第１成形部の前記ロールフォーマーの前記上部成形ロール及び前記下部成形ロールの間に垂直に介在することを特徴とする請求項３に記載の二次電池用パウチフォールディング装置。
【請求項６】
前記第１ギャップスペーサは、
前記第２成形領域内の前記マウンティングプレートと前記第２成形部の前記ロールフォーマーの前記下部成形ロールの間に垂直に介在することを特徴とする請求項３に記載の二次電池用パウチフォールディング装置。
【請求項７】
前記第１ギャップスペーサは、
前記第３成形領域内の前記マウンティングプレートと前記第３成形部の前記ロールフォーマーの前記上部成形ロール及び前記下部成形ロールの間に垂直に介在することを特徴とする請求項３に記載の二次電池用パウチフォールディング装置。
【請求項８】
前記第２ギャップスペーサは、
前記支えプレートと前記サドルの他側面で垂直に下部側に延長して前記マウンティングプレートの他側に固定されるカラムの間に水平に介在することを特徴とする請求項４に記載の二次電池用パウチフォールディング装置。
【請求項９】
前記第３及び第４ギャップスペーサは、前記フォールディングガイドが装着される前記サドルの一側面に形成された装着溝部に配置され、
前記第３ギャップスペーサは、
前記装着溝部の上部面と前記フォールディングガイドの上部面の間に水平に介在し、
前記第４ギャップスペーサは、前記装着溝部の側面と前記フォールディングガイドの他側面の間に垂直に介在することを特徴とする請求項４に記載の二次電池用パウチフォールディング装置。
【発明の詳細な説明】
【技術分野】
【０００１】
本発明は、パウチ型二次電池の縁（ｔｅｒｒａｃｅ）が折られるようにする二次電池用パウチフォールディング装置に関する。
【背景技術】
【０００２】
ここでは、本発明に関する背景技術が提供され、これらが必ずしも公知技術を意味するものではない。
一般的に、パウチ型二次電池１は、電極組立体２と、電極組立体２を収容するパウチケース３、及び電極組立体２から延長して外部に突き出す電極タブ４を含む。
そして、パウチケース３は、電極組立体２の収納可能な空間を提供するケース本体５と、このケース本体５を覆うケースカバー６とを含む。この時、ケース本体５とケースカバー６の縁は、通常、接着（ｓｅａｌｉｎｇ）して提供される。
【０００３】
また、接着されたパウチ型二次電池１の縁７、即ち、電極タブ４が露出しない縁７（ｔｅｒｒａｃｅ）は、接着部分で発生する腐食を防止し、パウチの剛性を向上させ、全体大きさを減少させてパウチ型二次電池１の占有空間を最小化するためにフォールディング（ｆｏｌｄｉｎｇ）されて提供される。
一方、パウチ型二次電池１の縁７を折るフォールディング装備としては、特許文献１〜３が挙げられる。
【０００４】
前述した特許文献に開示されたフォールディング装備は、パウチ型二次電池１の縁７を通過させながら次第にパウチ型二次電池１の縁７が目的とする断面状に折られるようにするもので、パウチ型二次電池１の縁７は、並んて連続した複数の成形ロールを通りながら次第に折られる。
【０００５】
しかし、前述したフォールディング装置は、成形ロールを一々別の位置を整列させなければならないため、多くの時間と人力を必要とする問題点があった。
また、前述したフォールディング装備は、作業者の熟練度によって成形ロールの整列位置が異なるという問題点があり、このような問題によってパウチ型二次電池１の縁７が目的とする断面状に折られないか、ジャム（ｊａｍ）または破れなどが発生して、フォールディング装備の信頼度を劣らせるというさらに他の問題点があった。
【先行技術文献】
【特許文献】
【０００６】
【特許文献１】韓国公開特許公報第１０−２０１７−００５３０１１号
【特許文献２】韓国登録特許公報第１０−１７６６９６６号
【特許文献３】韓国登録特許公報第１０−１９５８８８２号
【発明の概要】
【発明が解決しようとする課題】
【０００７】
本発明は、熟練した作業者ではなくても誰もが容易かつ簡便に成形ロール及びフォールディングガイドを迅速に整列させることができる二次電池用パウチフォールディング装置の提供を一目的とする。
【課題を解決するための手段】
【０００８】
ここでは、本発明の全体的な要約が提供され、これが本発明の外縁を制限するものと理解されてはならない。
【０００９】
上記の課題を解決するために、本発明を記述する様々な観点のいずれか一観点による二次電池用パウチフォールディング装置は、パウチ型二次電池の縁を次第に折り曲げ成形して目的とした断面状に折る成形手段と、成形手段を支持する支持手段と、前記成形手段と前記支持手段との間に介在して前記成形手段を整列させる、多様な厚さで提供される平板状の第１〜第４ギャップスペーサと、を含むことができる。
【００１０】
本発明の一観点による二次電池用パウチフォールディング装置において、前記支持手段は、前記パウチ型二次電池が進行する方向に沿って水平に延長するベースプレートと、前記ベースプレートの上部に固定装着されるスタンドと、を含み、前記スタンドは、前記ベースプレートを長さ方向に沿って水平に延長し、前記ベースプレートに固定装着される支えプレートと、前記支えプレートの長さ方向に沿って水平に延長し、前記支えプレートの上部側に垂直に延長するマウンティングプレートと、を含み、前記マウンティングプレートの一側面は、前記パウチ型二次電池が進行する方向に沿って順次に第１成形領域、第２成形領域及び第３成形領域に分割されることができる。
【００１１】
本発明の一観点による二次電池用パウチフォールディング装置において、前記成形手段は、前記第１成形領域内に支持され、前記パウチ型二次電池の前記縁が鋭角をなすように折り曲げ成形させる、上部成形ロール及び下部成形ロールが対をなすロールフォーマーを有する第１成形部と、前記第２成形領域内に支持され、前記第１成形部を抜け出た前記パウチ型二次電池の前記縁が鈍角をなすように折り曲げ成形させる、上部成形ロール及び下部成形ロールが対をなすロールフォーマーを有する第２成形部と、前記第３成形領域内に支持され、前記第２成形部を抜け出た前記パウチ型二次電池の前記縁が水平をなすように折り曲げ成形させる、上部成形ロール及び下部成形ロールが対をなすロールフォーマーを有する第３成形部と、を含むことができる。
【００１２】
本発明の一観点による二次電池用パウチフォールディング装置において、前記第１成形部の前記ロールフォーマーの前記上部成形ロール及び前記下部成形ロールと、前記第２成形部の前記ロールフォーマーの前記下部成形ロール、及び前記第３成形部の前記ロールフォーマーの前記上部成形ロール及び前記下部成形ロールは、前記マウンティングプレートに回転可能に装着され、前記第２成形部の前記ロールフォーマーの前記上部成形ロールは、前記第２成形領域内で前記スタンドの長さ方向に沿って水平に延長するサドルの下部に回転可能に装着され、前記サドルの一側面には、前記第２成形部の前記ロールフォーマーによる前記縁の折り曲げ成形時に前記縁の非折り曲げ部位を支持しながら折り曲げ部位を支えて支持するフォールディングガイドが装着されることができる。
【００１３】
本発明の一観点による二次電池用パウチフォールディング装置において、前記第１ギャップスペーサは、前記第１成形領域内の前記マウンティングプレートと前記第１成形部の前記ロールフォーマーの前記上部成形ロール及び前記下部成形ロールの間に垂直に介在することができる。
【００１４】
本発明の一観点による二次電池用パウチフォールディング装置において、前記第１ギャップスペーサは、前記第２成形領域内の前記マウンティングプレートと前記第２成形部の前記ロールフォーマーの前記下部成形ロールの間に垂直に介在することができる。
【００１５】
本発明の一観点による二次電池用パウチフォールディング装置において、前記第１ギャップスペーサは、前記第３成形領域内の前記マウンティングプレートと前記第３成形部の前記ロールフォーマーの前記上部成形ロール及び前記下部成形ロールの間に垂直に介在することができる。
【００１６】
本発明の一観点による二次電池用パウチフォールディング装置において、前記第２ギャップスペーサは、前記支えプレートと前記サドルの他側面で垂直に下部側に延長して前記マウンティングプレートの他側に固定されるカラムの間に水平に介在することができる。
【００１７】
本発明の一観点による二次電池用パウチフォールディング装置において、前記第３及び第４ギャップスペーサは、前記フォールディングガイドが装着される前記サドルの一側面に形成された装着溝部に配置され、前記第３ギャップスペーサは、前記装着溝部の上部面と前記フォールディングガイドの上部面の間に水平に介在し、前記第４ギャップスペーサは、前記装着溝部の側面と前記フォールディングガイドの他側面の間に垂直に介在することができる。
【発明の効果】
【００１８】
本発明によると、マウンティングプレートと第１〜第３成形部との間に介在する第１ギャップスペーサと、スタンドの支えプレートとカラムとの間に介在する２ギャップスペーサ及び、フォールディングガイドとサドルとの間に介在する第３及び第４ギャップスペーサを具備するため、熟練した作業者でなくとも誰もが容易に第１〜第３成形部のロールフォーマーの位置及びフォールディングガイドの先端部位置を整列させることができ、これによりフォールディング装置の信頼度が高められるという効果が提供できるようになる。
【図面の簡単な説明】
【００１９】
【図１】本発明と関連したパウチ型二次電池を示した図面である。
【図２】本発明による二次電池用パウチフォールディング装置を示した斜視図である。
【図３】本発明による二次電池用パウチフォールディング装置を示した正面図である。
【図４】本発明による二次電池用パウチフォールディング装置を示した側面図である。
【発明を実施するための形態】
【００２０】
以下では、本発明による二次電池用パウチフォールディング装置を具現した実施形態を図面を参照して詳しく説明する。
但し、本発明の本質的な（ｉｎｔｒｉｎｓｉｃ）技術的思想は、以下で説明する実施形態によってその実施可能形態が制限されるとはいえず、本発明の本質的な（ｉｎｔｒｉｎｓｉｃ）技術的思想に基づいて通常の技術者によって以下で説明する実施形態を置換または変更の方法で容易に提案できる範囲を含むことを明らかにする。
【００２１】
また、以下で使用される用語は、説明の便宜のために選択したものであるため、本発明の本質的な（ｉｎｔｒｉｎｓｉｃ）技術的思想を把握するにあたって辞書的意味に制限されず、本発明の技術的思想に符合する意味で適切に解釈されるべきである。
【００２２】
本発明による二次電池用パウチフォールディング装置１００は、先行工程で走行ロボット（図示せず）に搭載されて連続的に供給されるパウチ型二次電池１（図１参照）の縁７（ｔｅｒｒａｃｅ）を次第に折り曲げ成形して既設定（目的）された断面状に折られるようにする。
そのため、本発明による二次電池用パウチフォールディング装置１００は、走行ロボットに沿って走行するパウチ型二次電池１の走行経路の一側または両側に一つ以上設置される。
【００２３】
一例として、本発明による二次電池用パウチフォールディング装置１００は、前述した走行経路上に２個が離隔設置されることができるが、この時に先行するフォールディング装置１００は、パウチ型二次電池１の縁７を１８０度に折られるようにし、後行するフォールディング装置１００は、１８０度折られたパウチ型二次電池１の縁７を２７０〜３６０度に折られるようにする。
また、３６０度に折られたパウチ型二次電池１の縁７を３６０度以上、例えば、４５０度に折るために、本発明による二次電池用パウチフォールディング装置１００はさらに設置されることができる。
【００２４】
添付の図面のうち図２〜図４は、本発明による二次電池用パウチフォールディング装置１００を示した図面であり、本発明による二次電池用パウチフォールディング装置１００は、パウチ型二次電池１の縁７を折り曲げ成形させる成形手段１３０と、成形手段１３０を支持する支持手段１１０とを含む。
【００２５】
先ず、支持手段１１０は、加工の便宜のために、ベースプレート１１２とスタンド１２０に分割して提供される。
ベースプレート１１２は、パウチ型二次電池１が進行する方向に沿って水平に延長し、ベースプレート１１２の上部にはスタンド１２０が固定装着される。
【００２６】
スタンド１２０は、図示のように、ベースプレート１１２を長さ方向に沿って水平に延長する支えプレート１２２と、支えプレート１２２の長さ方向に沿って延長し、支えプレート１２２の上部側に垂直に延長するマウンティングプレート１２４とを含む。
【００２７】
この時、ベースプレート１１２の上部には、スタンド１２０の支えプレート１２２が安着される安着溝部１１４が設けられ、スタンド１２０の支えプレート１２２は、安着溝部１１４に安着された状態で通常のボルト及びナットを媒介としてベースプレート１１２に固定装着される。
【００２８】
このようにスタンド１２０の支えプレート１２２がベースプレート１１２の安着溝部１１４に安着された状態でベースプレート１１２に固定装着されるため、パウチ型二次電池１の縁７のフォールディング時に振動によるスタンド１２０の揺れ等を最小化することができるようになる。
【００２９】
一方、スタンド１２０のマウンティングプレート１２４の一側面は、折り曲げ成形させるパウチ型二次電池１の縁７と向い合い、マウンティングプレート１２４の一側面は、パウチ型二次電池１が進行する方向に沿って順次に第１成形領域Ｓ１、第２成形領域Ｓ２及び第３成形領域Ｓ３に分割される。
【００３０】
成形手段１３０は、パウチ型二次電池１の縁７を順次に折られるようにする第１成形部１３２、第２成形部１３４及び第３成形部１４４を含む。
第１成形部１３２は、スタンド１２０のマウンティングプレート１２４の一側面に提供される第１成形領域Ｓ１内に配置され、第１成形部１３２は、水平な状態で進入する、つまり、先行工程で供給されるパウチ型二次電池１の縁７及び縁７が１８０度折り曲げ成形されたパウチ型二次電池１の縁７を鋭角（ａｃｕｔｅａｎｇｌｅ）をなすように折り曲げ成形させる。
【００３１】
そのため、第１成形部１３２は、パウチ型二次電池１が進行する経路に沿って配置される複数のロールフォーマーＲ１〜Ｒ５を含み、それぞれのロールフォーマーＲ１〜Ｒ５は上下に配置され、マウンティングプレート１２４に回転可能に装着される上部成形ロール及び下部成形ロールを含む。
【００３２】
即ち、パウチ型二次電池１の縁７は、第１成形部１３２のロールフォーマーＲ１〜Ｒ５の上部成形ロール及び下部成形ロールの間を通りながら次第に鋭角をなすように折り曲げ成形される。
ここで、第１成形部１３２のロールフォーマーＲ１〜Ｒ５による縁７の成形は公知の技術であるため、詳細な説明は省略する。
【００３３】
また、本発明では、５個のロールフォーマーＲ１〜Ｒ５を有する第１成形部１３２を示しているが、第１成形部１３２のロールフォーマーＲ１〜Ｒ５を５個に限定するものではないことは誰もが分かるであろう。
【００３４】
第２成形部１３４は、スタンド１２０のマウンティングプレート１２４の一側面に提供される第２成形領域Ｓ２内に配置され、第２成形部１３４は、第１成形部１３２を抜け出たパウチ型二次電池１の縁７、つまり、鋭角をなすように折り曲げ成形されたパウチ型二次電池１の縁７が鈍角（ｏｂｔｕｓｅ  ａｎｇｌｅ）をなすように折り曲げ成形させる。
【００３５】
そのため、第２成形部１３４は、第１成形部１３２と同様に、パウチ型二次電池１が進行する経路に沿って配置される複数のロールフォーマーＲ６〜Ｒ１０を含み、それぞれのロールフォーマーＲ６〜Ｒ１０は上下に配置される上部成形ロール及び下部成形ロールを含む。
この時、第２成形部１３４のロールフォーマーＲ６〜Ｒ１０の下部成形ロールは、マウンティングプレート１２４に回転可能に装着され、第２成形部１３４のロールフォーマーＲ６〜Ｒ１０の上部成形ロールは、マウンティングプレート１２４の上部に提供されるサドル１３６に回転可能に装着される。
【００３６】
サドル１３６は、第２成形領域Ｓ２内でスタンド１２０の長さ方向に沿って水平に延長し、サドル１３６の下部は、第２成形部１３４のロールフォーマーＲ６〜Ｒ１０の下部成形ロールと向い合い、サドル１３６の下部には、第２成形部１３４のロールフォーマーＲ６〜Ｒ１０の下部成形ロールと対をなす上部成形ロールが回転可能に装着される。
【００３７】
つまり、マウンティングプレート１２４に装着された第２成形部１３４のロールフォーマーＲ６〜Ｒ１０の下部成形ロールは、Ｘ軸方向に延長した回転軸を基準として回転し、サドル１３６に装着された第２成形部１３４のロールフォーマーＲ６〜Ｒ１０の上部成形ロールは、Ｙ軸方向に延長した回転軸を基準として回転する。
【００３８】
そして、第２成形部１３４のロールフォーマーＲ６〜Ｒ１０の上部成形ロールが装着されたサドル１３６は、カラム１３８によってマウンティングプレート１２４の上部に支持される。
カラム１３８は、第２成形部１３４のロールフォーマーＲ６〜Ｒ１０に対向する位置、即ち、サドル１３６の他側面で垂直に下部側に延長し、カラム１３８は、ボルト及びナットを媒介としてマウンティングプレート１２４の他側面に固定装着される。
【００３９】
即ち、第１成形部１３２を抜け出たパウチ型二次電池１の縁７は、第２成形部１３４のロールフォーマーＲ６〜Ｒ１０の上部成形ロール及び下部成形ロールの間を通りながら次第に鈍角をなすように折り曲げ成形される。
ここで、第２成形部１３４のロールフォーマーＲ６〜Ｒ１０による縁７の成形は公知の技術であるため、詳細な説明は省略する。
【００４０】
また、本発明では、５個のロールフォーマーＲ６〜Ｒ１０を有する第２成形部１３４を示しているが、第２成形部１３４のロールフォーマーＲ６〜Ｒ１０を５個に限定するものではないことは誰もが分かるであろう。
【００４１】
一方、第２成形部１３４は、ロールフォーマーＲ６〜Ｒ１０によるパウチ型二次電池１の縁７の折り曲げ成形時に縁７の非折り曲げ部位を支持しながら折り曲げ部位に皺などが発生しないように折り曲げ部位を支えて支持するフォールディングガイド１４０をさらに含む。
フォールディングガイド１４０は、図示のように、サドル１３６の長さ方向に沿って延長した垂直した板状を有し、フォールディングガイド１４０の上部側は、サドル１３６の一側面に設けられた装着溝部１４４にボルトなどを媒介として固定装着される。
【００４２】
そして、フォールディングガイド１４０の下端側は、第２成形部１３４のロールフォーマーＲ６〜Ｒ１０側に延長するが、フォールディングガイド１４０下端側には、第２成形部１３４のロールフォーマーＲ６〜Ｒ１０の上部成形ロール及び下部成形ロールの間に延長し、スタンド１２０の長さ方向に沿って水平に延長する先端部１４２が一体で形成される。
ここで、第２成形部１３４のロールフォーマーＲ６〜Ｒ１０の上部成形ロール及び下部成形ロールとフォールディングガイド１４０の先端部１４２による縁７の非折り曲げ部位に対する支持及び縁７の折り曲げ部位に対する支持は、公知の技術であるため、詳細な説明は省略する。
【００４３】
第３成形部１４４は、スタンド１２０のマウンティングプレート１２４の一側面に提供される第３成形領域Ｓ３内に配置され、第３成形部１４４は、第２成形部１３４を抜け出たパウチ型二次電池１の縁７、即ち、鈍角をなすように折り曲げ成形された縁７が水平をなすように加圧成形させる。
【００４４】
そのため、第３成形部１４４は、パウチ型二次電池１が進行する経路に沿って配置される複数のロールフォーマーＲ１１〜Ｒ１２を含み、それぞれのロールフォーマーＲ１１〜Ｒ１２は上下に配置され、マウンティングプレート１２４に回転可能に装着される上部成形ロール及び下部成形ロールを含む。
即ち、第２成形部１３４を抜け出たパウチ型二次電池１の縁７は、第３成形部１４４のロールフォーマーＲ１１〜Ｒ１２の上部成形ロール及び下部成形ロールの間を通りながら次第に水平をなすように加圧成形される。
ここで、第３成形部１４４のロールフォーマーＲ１１〜Ｒ１２による縁７の成形は公知の技術であるため、詳細な説明は省略する。
【００４５】
また、本発明では、２個のロールフォーマーＲ１１〜Ｒ１２を有する第３成形部１４４を図示しているが、第３成形部１４４のロールフォーマーＲ１１〜Ｒ１２を２個に限定するものではないことは誰もが分かるであろう。
【００４６】
一方、本発明による二次電池用パウチフォールディング装置１００は、多様な厚さを有し、平板状で提供される第１〜第４ギャップスペーサ１５０ａ、１５０ｂ、１５０ｃ、１５０ｄをさらに含む。
先ず、第１ギャップスペーサ１５０ａは、第１成形部１３２のロールフォーマーＲ１〜Ｒ５の上部成形ロール及び下部成形ロールを迅速に整列できるようにする。
【００４７】
そのため、第１ギャップスペーサ１５０ａは、第１成形領域Ｓ１のマウンティングプレート１２４の一側面及び第１成形部１３２のロールフォーマーＲ１〜Ｒ５の間に垂直に介在する。
【００４８】
即ち、第１成形部１３２のロールフォーマーＲ１〜Ｒ５の上部成形ロール及び下部成形ロールの整列時に整列しようとする長さに対応する厚さを有する第１ギャップスペーサ１５０ａの他側面を、図２に示すように第１成形領域Ｓ１のマウンティングプレート１２４の一側面上に密着させた状態下で第１ギャップスペーサ１５０ａの一側面に第１成形部１３２のロールフォーマーＲ１〜Ｒ５の上部成形ロール及び下部成形ロールを回転可能に密着させることで、第１成形部１３２のロールフォーマーＲ１〜Ｒ５の上部成形ロール及び下部成形ロールは第１成形領域Ｓ１内で迅速に整列される。
【００４９】
図２には、第１成形領域Ｓ１内のマウンティングプレート１２４と第１成形部１３２の間に介在した第１ギャップスペーサ１５０ａを図示しているが、第１ギャップスペーサ１５０ａは、第２成形領域Ｓ２内のマウンティングプレート１２４と第２成形部１３２のロールフォーマーＲ６〜Ｒ１０の下部成形ロールの間及び第３成形領域Ｓ３内のマウンティングプレート１２４と第３成形部１４４のロールフォーマーＲ１１〜Ｒ１２の上部成形ロール及び下部成形ロールとマウンティングプレート１２４の間に介在して、第２成形部１３４のロールフォーマーＲ６〜Ｒ１０の下部成形ロールと、第３成形部１４４のロールフォーマーＲ１１〜Ｒ１２の上部成形ロール及び下部成形ロールを迅速に整列させることができる。
【００５０】
そして、第２ギャップスペーサ１５０ｂは、第２成形部１３４のロールフォーマーＲ６〜Ｒ１０の上部成形ロールの高さを迅速に調節できるようにするもので、そのため、第２ギャップスペーサ１５０ｂは、スタンド１２０の支えプレート１２２及びカラム１３８の下部の間に水平に介在する。
【００５１】
即ち、第２成形部１３４のロールフォーマーＲ６〜Ｒ１０の上部成形ロールの高さを調節する時に調節しようとする高さに対応する厚さを有する第２ギャップスペーサ１５０ｂをスタンド１２０の支えプレート１２２及びカラム１３８の下部の間に介在させた状態下で、カラム１３８をマウンティングプレート１２４の他側面に固定装着させることで、第２成形部１３４のロールフォーマーＲ６〜Ｒ１０の上部成形ロールの高さは迅速に調節される。
【００５２】
一方、第３及び第４ギャップスペーサ１５０ｃ、１５０ｄは、フォールディングガイド１４０の先端部１４２の位置を迅速に調節できるようにする。
そのため、第３ギャップスペーサ１５０ｃは、装着溝部１４４の上部面とフォールディングガイド１４０の上部面の間に水平に介在し、第４ギャップスペーサ１５０ｄは、装着溝部１４４の側面とフォールディングガイド１４０の他側面の間に垂直に介在する。
【００５３】
即ち、フォールディングガイド１４０の先端部１４２の位置を調節する時に調節しようとする高さ及び長さに対応する厚さを有する第３ギャップスペーサ１５０ｃ及び第４ギャップスペーサ１５０ｄを装着溝部１４４の上部面とフォールディングガイド１４０の上部面の間及び装着溝部１４４の側面とフォールディングガイド１４０の他側面の間に介在させた状態下で、フォールディングガイド１４０をサドル１３６に固定装着させることで、フォールディングガイド１４０の先端部１４２の位置は迅速に調節される。
【００５４】
ここで、第１〜第３成形部１３２、１３４、１４４のロールフォーマーＲ１〜Ｒ１２に対する整列及び高さの調節と、フォールディングガイド１４０の先端部１４２に対する位置の調節は、本発明による二次電池用パウチフォールディング装置１００の設置または縁７に対するフォールディング作業を行うパウチ型二次電池１のサイズの変化時に行われ得る。
【００５５】
このように形成された本発明による二次電池用パウチフォールディング装置１００は、マウンティングプレート１２４と第１〜第３成形部１３２、１３４、１４４の間に介在する第１ギャップスペーサ１５０ａとスタンド１２０の支えプレート１２２とカラム１３８の間に介在する第２ギャップスペーサ１５０ｂ、及びフォールディングガイド１４０とサドル１３６の間に介在する第３及び第４ギャップスペーサ１５０ｃ、１５０ｄを具備するため、熟練した作業者ではなくても誰もが容易に第１〜第３成形部１３２、１３４、１４４のロールフォーマーＲ１〜Ｒ１２の位置及びフォールディングガイド１４０の先端部１４２の位置を整列させることができ、これにより本発明によるフォールディング装置１００の信頼度が高められる。
【００５６】
上述したように、本発明の特定の実施例を説明して図示したが、本発明は記載された実施例に限定されるのではなく、本発明の思想及び範囲を逸脱せず多様に修正及び変形可能なことは、この技術分野で通常の知識を有する者に自明である。従って、そのような修正例または変更例は、本発明の技術的思想や観点から個別的に理解されてはならず、変形された実施例は本発明の特許請求の範囲に属するというべきである。
【符号の説明】
【００５７】
１  パウチ型二次電池
２  電極組立体
３  パウチケース
４  電極タブ
５  ケース本体
６  ケースカバー
７  縁
１００  パウチフォールディング装置
１１０  支持手段
１１２  ベースプレート
１１４  安着溝部
１２０  スタンド
１２２  支えプレート
１２４  マウンティングプレート
１３０  成形手段
１３２  第１成形部
１３４  第２成形部
１３６  サドル
１３８  カラム
１４０  フォールディングガイド
１４２  先端部
１４４  第３成形部
１５０ａ  第１ギャップスペーサ
１５０ｂ  第２ギャップスペーサ
１５０ｃ  第３ギャップスペーサ
１５０ｄ  第４ギャップスペーサ
【図１】
0006974572.tif 000002
【図２】
0006974572.tif 000003
【図３】
0006974572.tif 000004
【図４】
0006974572.tif 000005